(57)【要約】【課題】  調整可能なスペクトル内容を有するフラッシュ光を供給することができる撮像システムを提供する。【解決手段】  カメラ１２と、１つ又は複数の駆動信号ＳR，ＳG，ＳBに従って調整可能なスペクトル内容を有するフラッシュ光ＬFを供給する、カメラ１２に関連された光モジュール１４とを備える。また、フラッシュ光ＬFを生成するために混合される光を提供する、一連の個々にアクセス可能な１つ又は複数の発光器Ｒ1〜ＲL，Ｇ1〜ＧM，Ｂ1〜ＢNを有する光モジュール１４と、カメラ１２からのトリガーＴＲＩＧに応答して、フラッシュ光のスペクトル内容を設定する１つ又は複数の駆動信号ＳR，ＳG，ＳBを、１つ又は複数の個別アクセス可能な発光器Ｒ1〜ＲL，Ｇ1〜ＧM，Ｂ1〜ＢNに供給する、光モジュール１４に関連するドライバ１６とを備える。【選択図】        図１
2005204296.tif 000002
【特許請求の範囲】
【請求項１】
カメラと、
１つ又は複数の駆動信号に従って調整可能なスペクトル内容を有するフラッシュ光を供給する、前記カメラに関連された光モジュールと、
を備えることを特徴とする撮像システム。
【請求項２】
前記光モジュールは、少なくとも２つの異なる色の１つ又は複数の光の発光器を備え、前記少なくとも２つの異なる色の光の１つ又は複数の発光器は、前記１つ又は複数の駆動信号に個別にアクセス可能であり、前記フラッシュ光は、前記１つ又は複数の発光器からの光を混合したものであることを特徴とする請求項１に記載の撮像システム。
【請求項３】
前記少なくとも２つの異なる色は、赤と、緑と、青とを含むことを特徴とする請求項２に記載の撮像システム。
【請求項４】
前記発光器は、ソリッドステート光源であることを特徴とする請求項２に記載の撮像システム。
【請求項５】
前記発光器は、１つ又は複数の赤色ＬＥＤのアレイと、１つ又は複数の緑色ＬＥＤのアレイと、１つ又は複数の青色ＬＥＤのアレイとを有することを特徴とする請求項２に記載の撮像システム。
【請求項６】
前記１つ又は複数の発光器は、１つ又は複数の赤色ＬＥＤのアレイと、１つ又は複数の緑色ＬＥＤのアレイと、１つ又は複数の青色ＬＥＤのアレイとを有することを特徴とする請求項３に記載の撮像システム。
【請求項７】
前記駆動信号は、前記撮像システムによる撮像期間中に前記１つ又は複数の発光器を起動することを特徴とする請求項２に記載の撮像システム。
【請求項８】
前記光モジュールは、前記カメラのハウジング内に組み込まれることを特徴とする請求項１に記載の撮像システム。
【請求項９】
前記光モジュールは、前記カメラのハウジング内に組み込まれることを特徴とする請求項２に記載の撮像システム。
【請求項１０】
前記光モジュールは、携帯電話に統合されることを特徴とする請求項２に記載の撮像システム。
【請求項１１】
前記１つ又は複数の駆動信号は、色制御スイッチを介して調整可能であることを特徴とする請求項１に記載の撮像システム。
【請求項１２】
前記１つ又は複数の駆動信号は、色制御スイッチを介して調整可能であることを特徴とする請求項２に記載の撮像システム。
【請求項１３】
前記１つ又は複数の駆動信号は、被写体の周辺照度に従って調整されることを特徴とする請求項１に記載の撮像システム。
【請求項１４】
前記１つ又は複数の駆動信号は、被写体の周辺照度に従って調整されることを特徴とする請求項２に記載の撮像システム。
【請求項１５】
前記１つ又は複数の駆動信号は、被写体の周辺照度に応答して前記フラッシュ光の前記スペクトル内容を変えることを特徴とする請求項１に記載の撮像システム。
【請求項１６】
前記１つ又は複数の駆動信号は、被写体の周囲照度に応答して前記フラッシュ光の前記スペクトル内容を調整することを特徴とする請求項２に記載の撮像システム。
【請求項１７】
前記１つ又は複数の駆動信号は、被写体の周囲照度に応答して前記光モジュールが供給する前記フラッシュ光の強度を変えることを特徴とする請求項２に記載の撮像システム。
【請求項１８】
カメラに関連して使用するフラッシュであって、
フラッシュ光を生成するために混合される光を提供する、一連の個々にアクセス可能な１つ又は複数の発光器を有する光モジュールと、
前記カメラからのトリガーに応答して、前記フラッシュ光のスペクトル内容を設定する前記１つ又は複数の駆動信号を、前記１つ又は複数の個別アクセス可能な発光器に供給する、前記光モジュールに関連するドライバと、
を備えることを特徴とするフラッシュ。
【請求項１９】
光モジュールによって提供されるフラッシュ光の空間的分布を制御するレンズをさらに備えることを特徴とする請求項１８に記載のフラッシュ。
【請求項２０】
前記１つ又は複数の個別にアクセス可能な発光器が、少なくとも１つの赤色ＬＥＤのアレイと、少なくとも１つの緑色ＬＥＤのアレイと、少なくとも１つの青色ＬＥＤのアレイとを有することを特徴とする請求項１８に記載のフラッシュ。
【発明の詳細な説明】
【技術分野】
【０００１】
本発明は、概して、撮像用フラッシュ照明に関し、より詳しくは、撮像システム（撮像用フラッシュ照明システム）及びこの撮像システムに用いられるフラッシュに関する。
【背景技術】
【０００２】
ストロボ光源すなわち「フラッシュ」は、写真被写体用の補助光を供給し、その間にカメラや他の撮像システムにより被写体の像を得る。フラッシュの１つの一般種には、キセノンガスの放射に基づいて光を放つキセノン球が含まれる。この光のスペクトル内容はガス放出特性により固定（特定）されており、そのことが翻って写真被写体に関する補助照明の色温度を固定している。携帯電話に組み込まれたカメラに含まれる別種のフラッシュは、１つ又は複数の「白色」ＬＥＤ（発光ダイオード）を備える。「白色」ＬＥＤは、通常、蛍光体（二次発光器）に青色ＬＥＤを付着させた１つ又は複数の青色ＬＥＤ（一次発光器）を用いて形成されている。「白色」ＬＥＤが発する光のスペクトル内容は、また、一次発光器のスペクトル特性と付着二次発光器の放射特性に応じて固定されており、このことで「白色」ＬＥＤの色温度が通常５５００乃至８５００のケルビン温度に固定されている。
【０００３】
撮像システムにより得られる画像の特性は、光のスペクトル内容すなわち色温度に依存する。フラッシュのスペクトル内容を固定したときに、カメラのレンズ上に色フィルタを装着することにより所望の画像特性を得ることができる。しかしながら、このことは、限定された画像特性制御しかもたらさない。その理由は、フィルタはカメラが受け取る光のスペクトル内容の連続的な制御をもたらさないからである。加えて、異なるスペクトル濾波を達成するにはフィルタを物理的に交換しなければならないため、フィルタは、使用が面倒である。
【発明の開示】
【発明が解決しようとする課題】
【０００４】
現在において利用可能なフラッシュの固定されたスペクトル、並びに、利用可能な光のスペクトル内容を修正するのに用いるフィルタの限界に鑑みて、調整することのできるスペクトル内容をもった光を提供（供給）するフラッシュに対する必要性が存在する。すなわち、調整可能なスペクトル内容を有するフラッシュ光を提供（供給）することができる撮像システムが要望されている。
【課題を解決するための手段】
【０００５】
本発明の実施形態による撮像システムは、調整可能なスペクトル内容を有するフラッシュ光を提供（供給）する光源を含む。
【発明を実施するための最良の形態】
【０００６】
図１は、本発明の実施形態による撮像システム１０のブロック線図を示す。撮像システム１０は、カメラ１２と、このカメラ１２に関連する光モジュール１４を含んでいる。光モジュール１４は、少なくとも２つの異なる色の光の一連の発光器を有している。ここでは、発光器をＲ1〜ＲL，Ｇ1〜ＧM，Ｂ1〜ＢNで示す。なお、添え字Ｌ，Ｍ，Ｎは、それぞれ、赤色発光器の数，緑色発光器の数，青色発光器の数を表わす整数である。一般的な応用例では、各色の発光器の数は等しい。
【０００７】
本例では、異なる色を、赤色と、緑色と、青色としたが、十分に広いスペクトル内容調整範囲をもたらすには他の色の発光器を代用する。ドライバ１６が、これらの異なるカラー発光器Ｒ1〜ＲL，Ｇ1〜ＧM，Ｂ1〜ＢNへそれぞれ駆動信号ＳR，ＳG，ＳBを供給する。一連の異なる色発光器に対応する駆動信号を可変にすることによって、光モジュール１４が供給するフラッシュ光ＬF、すなわち異なる色発光器が供給する光を混合した光のスペクトル内容が個々に対応して変化され得る。
【０００８】
一例では、カメラ１２は、レンズ或いは他の集光素子１５の背後に配置したセンサ２２のアレイ（センサアレイ）を含む。一般に、センサ２２は、受光した光ＬRを、被写体１３の像を生成するためにプロセッサ２４によって処理することができる電気信号へ変換する、ＣＭＯＳ検出器，フォトダイオード，或いは他の変換器である。別の例では、カメラ１２は、写真フィルムを集光素子１５の背後にセンサ２２として配置するようにしたフィルム・ベースのものである。この種の典型的カメラは、例えば５５００ケルビン色温度を有する青みがかった光向けにバランスをとった昼光フィルムに対応するものである。さもなければ、これらのカメラは、例えば３２００ケルビン色温度を有するオレンジすなわち暖色光に向けてバランスをとったタングステンフィルムに適応する。カメラ１２内のセンサ２２に結合したプロセッサ２４は、被写体１３の像を得るための像処理或いは他の制御機能を果たす。
【０００９】
光モジュール１４がもたらすフラッシュ光ＬFの無い状態でカメラ１２が取得する像は、周辺光ＬAのスペクトル内容すなわち色温度に依存する。フィルム・ベースのカメラは、周辺光ＬAの色温度に対して特に敏感である。例えば、舞台照明や家庭照明等の暖色の周辺光ＬAは、一般に昼光フィルムにオレンジみがかった像を投影する。より冷色の周辺光ＬA（例えば、昼光）は、一般に、タングステンフィルム上に青みがかった写真を写す。光モジュール１４がもたらす被写体１３の補助照明ＬSの可調整スペクトル内容は、光ＬAを中和するのに役立つ色バランスをもたらすことができ、さもなければ不要な色内容すなわち被写体１３を照らす周辺光ＬAの色温度に適応する。光モジュール１４が提供するフラッシュ光ＬFのスペクトル内容は、所望の写真効果を得るよう調整することもできる。例えば、被写体１３が黒い肌の人物である場合に、より冷色であるフラッシュ光ＬFを供給することは、一般に皮膚がより明るく見える像を得る結果を招き、これとは別に、被写体１３に対してより暖色の光を供給することは、皮膚がより濃い黄褐色に見える像を得る結果を招く。これらの特定の例に加え、光モジュール１４から被写体１３に供給するフラッシュ光ＬFのスペクトル内容の調整を介して様々な画像特性と効果を得ることができる。
【００１０】
一実施形態では、光モジュール１４の発光器は、レーザダイオードやＬＥＤ（発光ダイオード）等のソリッドステート光源である。しかしながら、一連の発光器は、２以上の異なる色の任意の他の光源や、調整可能なスペクトル内容を有する任意の適当な光源を含む。光モジュール１４内の異なる色の光の発光器は、個別にアクセス可能である。一例では、一連の発光器Ｒ1〜ＲL，Ｇ1〜ＧM，Ｂ1〜ＢNは、赤色ＬＥＤ等のような１つ又は複数の赤色発光器配Ｒ1〜ＲLのアレイと、緑色ＬＥＤ等のような１つ又は複数の緑色発光器配列Ｇ1〜ＧMのアレイと、青色ＬＥＤ等のような１つ又は複数の青色発光器配列Ｂ1〜ＢNのアレイを含む。赤，緑，及び青は、即時に入手可能なＬＥＤ色であり、これらのＬＥＤからの出力光を混合したときに、発光器Ｒ1〜ＲL，Ｇ1〜ＧM，Ｂ1〜ＢNは、結果として得られるフラッシュ光ＬFに関する色空間の適当な被写域（coverage）を提供する。
【００１１】
発光器の数及び配置は、その大部分が光モジュール１４内に含まれる発光器の光出力、並びに、フラッシュ光ＬFの必要強度により決まる。各色の発光器は、図５Ａに示す如く混合されるか、或いは図５Ｂに示す如く指定された色部分にグループ分けされる。異なる色発光器Ｒ1〜ＲL，Ｇ1〜ＧM，Ｂ1〜ＢNの独立したアクセス可能性により、異なる色発光器の相対的な強度を独立して変えることができ、その結果として光モジュール１４がもたらすフラッシュ光ＬFのスペクトル内容すなわち色温度が変えられる。
【００１２】
異なる色発光器の各々によってもたらされる光の相対強度は、異なる色発光器Ｒ1〜ＲL，Ｇ1〜ＧM，Ｂ1〜ＢNにそれぞれ供給される駆動信号ＳR，ＳG，ＳBに対応する変化に応じて変えられる。赤色発光器Ｒ1〜ＲLが１つ又は複数の赤色ＬＥＤを含み、緑色発光器Ｇ1〜ＧMが１つ又は複数の緑色ＬＥＤを含み、かつ青色発光器Ｂ1〜ＢNが１つ又は複数の青色発光ダイオードを含む例では、駆動信号ＳR，ＳG，ＳBは、通常、ＬＥＤに供給される電流であり、発光器Ｒ1〜ＲL，Ｇ1〜ＧM，Ｂ1〜ＢNの色付き光出力の相対的強度は異なる色のＬＥＤの起動用に供給される電流の相対的な大きさに応じて変えられる。例えば、青強度を増大させたフラッシュ光ＬFを提供するには、青色ＬＥＤに供給する電流を緑色ＬＥＤに供給する電流や赤色ＬＥＤに供給する電流に対して増大させる。同様に、異なるスペクトル内容を有するフラッシュ光ＬFは、異なる色発光ダイオードに供給される電流の相対的変化によりもたらされる。駆動信号ＳR，ＳG，ＳBを供給するために、本例では、ドライバ１６は、制御回路２６により制御されかつ光モジュール１４内の個別にアクセス可能な異なる色の発光器の対応色の１つ又は複数の発光器にそれぞれ結合された一連の可変電流源を備えている。ドライバ１６には、異なる色発光器Ｒ1〜ＲL，Ｇ1〜ＧM，Ｂ1〜ＢNのそれぞれがもたらす光の相対強度を調節（変調）するのに適した他の任意の回路や素子或いはシステムを含めることができる。異なる色発光器のスペクトル内容を制御する方法と装置の一例が、ニシムラ（Nishimura）氏に対する米国特許第６，４４８，５５０号（Ｂ１）明細書に提示されており、これを本願明細書に参照用に組み込むものとする。しかしながら、光モジュール１４が提供するフラッシュ光ＬFのスペクトル内容を変えるのに適した任意の他の駆動信号ＳR，ＳG，ＳB或いは駆動方式は、代替的に撮像システム１０内に含まれる。
【００１３】
異なる色発光器がそれぞれＬＥＤ等の光源のアレイ（配列）を含む例にあっては、異なる色の発光器の相対的強度は、起動されるアレイ内のいくつかの光源ついての対応調整により代替的に調整可能である。例えば、青色の強度を減らしたフラッシュ光ＬFを供給するには、青色ＬＥＤに対して緑色ＬＥＤ及び赤色ＬＥＤよりも少ない電流を供給する等の調整を行う。かくして、本例ではフラッシュ光ＬFのスペクトル内容は、スイッチや他の適当な回路網を用いて、駆動信号により起動されるいくつかの各色の個別発光器の駆動状態を変化させることで個別のステップにて調整することができる。
【００１４】
一般に、光モジュール１４に含まれる発光器Ｒ1〜ＲL，Ｇ1〜ＧM，Ｂ1〜ＢNは、光モジュール１４が供給するフラッシュ光ＬFの空間分布を設定する一体型レンズを有する。しかしながら、フラッシュ光ＬFの空間分布を制御するには、反射器やレンズや他の光学素子２８を光モジュール１４内の発光器Ｒ1〜ＲL，Ｇ1〜ＧM，Ｂ1〜ＢNの外部に随意選択的に含ませる。図１の例では、光モジュール１４は、発光器Ｒ1〜ＲL，Ｇ1〜ＧM，Ｂ1〜ＢNの前面にレンズと共に図示してある。
【００１５】
図２は、撮像システム１０の一実施形態を示すものであり、ここでは、光モジュール１４及びドライバ１６（図１参照）が従来のカメラ１２に組み込んである。図３は、撮像システム１０の一実施形態を示すものであり、ここでは、携帯電話に構成要素（カメラ１２や光モジュール１４等）が組み込んである。これらの実施形態は、カメラに組み込んだ光モジュール１４を示すものであるが、これとは別の場合には、光モジュール１４は、撮像対象被写体１３へ向けて目標を定め或いは目標に向けられるように、撮像システム１０内においてカメラ１２とは別個に収容される。図４に示した本発明の実施形態は、カメラ１２とは分離して収容され、カメラ１２に関連して（一緒に）使用される光モジュール１４に関するものである。本実施形態では、ドライバ１６（図示せず）は、光モジュール１４若しくはカメラ１２に組み込むか、或いはドライバ１６をカメラ１２や光モジュール１４とは別個とする。
【００１６】
光源１４が供給するフラッシュ光ＬFのスペクトル内容すなわち色温度の調整に加え、発光器Ｒ1〜ＲL，Ｇ1〜ＧM，Ｂ1〜ＢNに供給する駆動信号ＳR，ＳG，ＳBは、光モジュール１４が供給するフラッシュ光ＬFの強度を調整することもできる。駆動信号ＳR，ＳG，ＳB、すなわち、本例では、異なる色発光器Ｒ1〜ＲL，Ｇ1〜ＧM，Ｂ1〜ＢNのそれぞれに供給する電流を一括して増減し、フラッシュ光ＬFのスペクトル内容における変化とは無関係に、フラッシュ光ＬFの強度における対応する増減をもたらすようにできる。発光器からの光の強度を制御する方法並びに装置の例が、ブラロック（Blalock）氏その他に対する米国特許第６，３４４，６４１号（Ｂ１）明細書に提示されており、これを本願明細書に参照用に取り込むものとする。しかしながら、光源１４が供給するフラッシュ光ＬFの強度を調整する他のどのような適当な方法や装置も、代替使用することができる。異なる色発光器が、それぞれ、ＬＥＤ等の光源のアレイを含む例にあっては、フラッシュ光ＬFの強度は、起動されるアレイの各々におけるいつかの光源についての対応調整により代替調整可能である。例えば、強度が減じられたフラッシュ光ＬFを供給するためには、これに対応すべく、より少数の青色ＬＥＤと、より少数の緑色ＬＥＤと、より少数の赤色ＬＥＤへ電流を供給する。
【００１７】
本発明の実施形態の１つの動作モードにあっては、光モジュール１４が供給するフラッシュ光ＬFのスペクトル内容は、ドライバ１６に結合したハードウェア或いはソフトウェアの色制御スイッチＳＷC（図１参照）を介して手動調整する。色制御スイッチＳＷCにより、各発光器Ｒ1〜ＲL，Ｇ1〜ＧM，Ｂ1〜ＢNに対する各駆動信号ＳR，ＳG，ＳBの個別の独立した調整が可能となる。例えば、色制御スイッチＳＷCにより、赤色発光器Ｒ1〜ＲLに供給する駆動信号ＳRを、緑色発光器Ｇ1〜ＧMに供給する駆動信号ＳG並びに青色発光器Ｂ1〜ＢNに供給する駆動信号ＳBとは無関係に増減させることが可能である。或いは、色制御スイッチＳＷCによって、発光器に対する２以上の駆動信号ＳR，ＳG，ＳBの対等関係の調整を可能にする。例えば、色制御スイッチＳＷCにより、赤色発光器Ｒ1〜ＲLに供給する駆動信号ＳRを増大又は減少させ、その一方で、緑色発光器Ｇ1〜ＧMに供給する駆動信号ＳGを減少又は増大させ、或いはその一方で、青色発光器Ｂ1〜ＢNに供給する駆動信号ＳBを減少又は増大させる。光モジュール１４が供給するフラッシュ光ＬFの強度は、ドライバ１６に結合したハードウェア或いはソフトウェアの強度制御スイッチＳＷIを介して手動調整することもできる。強度制御スイッチＳＷIは、通常、発光器Ｒ1〜ＲL，Ｇ1〜ＧM，Ｂ1〜ＢNへの駆動信号ＳR，ＳG，ＳBを一括して可変し、フラッシュ光ＬFのスペクトル内容とは独立してフラッシュ光ＬFの強度を変化させる。
【００１８】
本発明の実施形態の代替動作モード４０（図６Ａに図示）では、光モジュール１４が供給するフラッシュ光ＬFのスペクトル内容の調整は、ドライバ１６に通信される周辺光ＬAの検出状態に従ってなされる。一例では、測色計（比色計）や色感応光検出器や他の色検出器２０（図１参照）がスペクトル内容すなわち周辺光ＬAの色温度を検出し（ステップ４２参照）、検出されたスペクトル内容すなわち周辺光ＬAの色温度を制御電流や他の制御信号１７の形でドライバ１６へ通信する（ステップ４４参照）。カメラ１２がディジタルカメラである別の例では、周辺光ＬAのスペクトル内容すなわち色温度を検出し（ステップ４２参照）、検出された周辺光ＬAのスペクトル内容すなわち色温度を制御電流或いは他の制御信号１７の形でドライバ１６へ通信するよう図示した外部色検出器２０に代え、センサ２２（図１参照）を用いる。
【００１９】
制御信号１７に応答して、ドライバ１６は、発光器Ｒ1〜ＲL，Ｇ1〜ＧM，Ｂ1〜ＢNにそれぞれ供給される駆動信号ＳR，ＳG，ＳBを調整する（ステップ４６参照）。駆動信号ＳR，ＳG，ＳBに関する調整は、曲線近似法、或いは、制御信号１７の値を駆動信号ＳR，ＳG，ＳBの値に写像する（対応させる）他の技法に基づいて、制御信号１７の値を駆動信号ＳR，ＳG，ＳBに写像するための予め設定されたルックアップテーブルを用いて行う。ステップ４８に示す調整された駆動信号に従って起動される発光器を用い、像を取得することができる。
【００２０】
本発明の実施形態（図６Ｂに図示）のさらに別の動作モード５０では、光モジュール１４は撮像前に起動され、これにより一連の発光器が像の被写体１３へフラッシュ光ＬFを供給する（ステップ５２参照）。この光モジュール１４の予行フラッシュの持続時間は、色検出器２０が周辺光ＬA及び光モジュール１４が供給するフラッシュ光ＬFの組み合わせ光（合成光）のスペクトル内容を検出するのに十分な長さとしてある（ステップ５４参照）。次いで、光モジュール１４によって提供されたフラッシュ光ＬFのスペクトル内容を、ドライバ１６へ通信される制御信号１７に応じて調整し（ステップ５６参照）、これにより、自動或いは半自動色制御帰還システムを形成する。本例では、ドライバ１６が光モジュール１４内の発光器Ｒ1〜ＲL，Ｇ1〜ＧM，Ｂ1〜ＢNに対する駆動信号ＳR，ＳG，ＳBを調整し、合成（結合）された周辺光ＬA及び補助フラッシュ光ＬFの目標スペクトル内容すなわち色温度を達成する。目標スペクトル内容すなわち色温度は、ドライバ１６内の可調整色基準信号ＲＥＦCにより設定される。色基準信号ＲＥＦCは、通常、自動モードに設定した撮像システム１０を用い、ハードウェア又はソフトウェアの色制御スイッチＳＷCを介して調整する。ステップ５８に示す如く、調整された駆動信号に従って起動される発光器を用いて１つの像を得ることができる。
【００２１】
光モジュール１４が提供するフラッシュ光ＬFの強度は、帰還ループの一部として調整することもでき、ここで、光度計や、他の照度センサ、一例ではセンサ２２からの制御信号がドライバ１６へ通信される。この種の制御信号に応答して、ドライバ１６が発光器Ｒ1〜ＲL，Ｇ1〜ＧM，Ｂ1〜ＢNに対する駆動信号ＳR，ＳG，ＳBを一括して変化させ、目標強度を得るようにしてよい。目標強度は、通常、ドライバ１６内の強度基準信号ＲＥＦIを調整する自動モードに設定した撮像システム１０を用いて、ハードウェア或いはソフトウェアの強度制御スイッチＳＷIを介して調整される。
【００２２】
撮像システム１０の典型的な応用例では、発光器Ｒ1〜ＲL，Ｇ1〜ＧM，Ｂ1〜ＢNは、被写体１３の撮像期間中に、光モジュール１４がカメラ１２用のフラッシュ光ＬFを生成するよう起動する。フラッシュ光ＬFの持続時間は、通常、異なる色の発光器Ｒ1〜ＲL，Ｇ1〜ＧM，Ｂ1〜ＢNを起動する駆動信号ＳR，ＳG，ＳBをパルス変調することで設定される。各駆動信号ＳR，ＳG，ＳBの振幅は、光モジュール１４が供給するフラッシュ光ＬFに対する特定色の発光器の相対的色寄与を決定する一方で、所定の持続期間すなわち幅のパルスは、発光器を起動する時間期間を決定する。フラッシュ光ＬFを供給する発光器の起動は、カメラ１２からドライバ１６に供給されるトリガーＴＲＩＧ（図１参照）により開始させる。
【００２３】
以上を要約すると、次の通りである。すなわち、カメラに関連する光モジュールは、１つ又は複数の駆動信号に従って調整可能なスペクトル内容を有するフラッシュ光を供給（提供）する。光モジュールは、１つ又は複数の駆動信号に個々にアクセス可能な、少なくとも２つの異なる色の光を発する１つ又は複数の発光器を含んでいる。フラッシュ光は、１つ股は複数の発光器からの光の混合（混和）である。
【００２４】
本発明の実施形態を詳細に例示してきたが、当事者にはこれらの実施形態に対する改変や適用が特許請求の範囲に規定した本発明範囲から逸脱することなく想起されることは明白である。
【図面の簡単な説明】
【００２５】
【図１】本発明の実施形態による撮像システムを示すブロック図である。
【図２】本発明の実施形態による例示の代替の撮像システムを示す図である。
【図３】本発明の実施形態による例示の代替の撮像システムを示す図である。
【図４】本発明の実施形態による例示の代替の撮像システムを示す図である。
【図５Ａ】本発明の実施形態による撮像システムのための例示の光モジュールを示す図である。
【図５Ｂ】本発明の実施形態による撮像システムのための例示の光モジュールを示す図である。
【図６Ａ】本発明の実施形態の動作モードを示すフローチャートである。
【図６Ｂ】本発明の実施形態の動作モードを示すフローチャートである。
【符号の説明】
【００２６】
１０  撮像システム
１２  カメラ
１３  被写体
１４  光モジュール
１５  集光素子（レンズ）
１６  ドライバ
１７  制御信号
２０  色検出器
２２  センサ
２４  プロセッサ
２６  制御回路
２８  光学素子
Ｒ1〜ＲL，Ｇ1〜ＧM，Ｂ1〜ＢN  発光器
ＳR，ＳG，ＳB  駆動信号
ＳＷC  色制御スイッチ
ＳＷI  強度制御スイッチ
ＴＲＩＧ  トリガー
【図１】
2005204296.tif 000003
【図２】
2005204296.tif 000004
【図３】
2005204296.tif 000005
【図４】
2005204296.tif 000006
【図５Ａ】
2005204296.tif 000007
【図５Ｂ】
2005204296.tif 000008
【図６Ａ】
2005204296.tif 000009
【図６Ｂ】
2005204296.tif 000010